(57)【要約】【課題】「下り」は正常だが「上り」が不通な状態になった子局が「下り」「上り」とも正常な子局と同時に回線獲得符号を送信したとき、親局は正常な子局と通信を始めるが、異常な方の子局も正常に動作していると誤認して誤作動する。【解決手段】親局から許可符号Ｐ１が送信されたときに、回線獲得符号を送信した子局１、２はそれぞれ自局に設けられたランダム符号発生手段からユニークなランダム符号Ｑ１，Ｑ２を親局へ送信する。親局はランダム符号Ｑ１のみ受信できたとするとこれを子局の方向（「下り」方向）に返送する。これを受けた子局１は自局から送信したランダム符号と一致するのでデータ通信を開始するが、子局２は自局からのとは異なるランダム符号を受信するからデータ送信を行わず、こうして子局２が誤ってデータ送信動作するのを防止できる。【選択図】図１
2006325048.tif 000002
【特許請求の範囲】
【請求項１】
親局への送信データが発生した子局が親局から周期的に送られてくる同期符号を受信したときに回線獲得符号を親局へ送信し、親局がこの回線獲得符号を受信すると許可符号を送信し、回線獲得符号を送信した子局がこの許可符号を受信すると自局に備えられたランダム符号発生手段の発生するランダム符号を親局へ送信し、親局はこのランダム符号を受信すると受信したランダム符号をそのまま送信し、このランダム符号を受信した子局は自局から送信したランダム符号と前記受信したランダム符号とが一致したときのみ自局から親局へ データ符号の送信を開始するようにした回線獲得方法。
【発明の詳細な説明】
【技術分野】
【０００１】
本発明は回線獲得方法に係り、とくに複数の子局が親局からの同期信号を受けて回線獲得をしようとするときの衝突の回避と回線獲得動作を確実に行えるようにするための回線獲得方法に関する。
【背景技術】
【０００２】
１つの親局と複数の子局から構成され、同じ時刻に親局と通信が行えるのは１つの子局のみに限られる無線システムでは、子局が回線獲得のための要求信号を、親局が通信中でないときに親局へ送信し、これによって親局との通信を開始する。
【０００３】
図２はこのようなシステムに於る子局の回線獲得方法を説明した図で、どの子局とも通信していないとき、親局は一定周期Ｔでもって同期符号を各子局へ送信している。いま子局１に送信データが発生すると、その直後に親局から送信された同期符号Ｓ１受信に同期して回線獲得符号Ｇ１を親局へ送信する。親局は同期符号Ｓ１送信後に回線獲得符号Ｇ１の受信を検出すると、次の送信タイミングには同期符号ではなく許可符号Ｐ１を送信する。子局１は、先に受信した同期符号から時間Ｔ経過後に同期符号ではなく許可符号Ｐ１を受信すると、自局が回線獲得に成功したと判断してデータ符号Ｄ１の親局への送信を開始する。親局はこのデータ符号Ｄ１を時間Ｔの間受信し、エラーが検出されなかったら許可符号Ｐ２を子局へ送信し、これを受けて子局１は続きのデータ符号Ｄ２を送信する。親局はこのデータ符号Ｄ２を受信してエラーを検出すると次のタイミングでは再送符号Ｒを送信し、これに応じて子局１はデータ符号Ｄ２を再送する。以下、このような繰り返しで子局１のデータ送信が行われる。なお、子局からのデータ符号にはエラー検出用のビットが付加されているものとする。
【０００４】
上記の子局１との通信中は、親局からは許可符号又は再送符号が周期Ｔごとに送信され、同期符号は送信されることはないから、他の子局は送信データが発生しても親局との回線を獲得することができず、回線が空くまで待っている。
【０００５】
図２で説明した回線獲得方法の場合、親局が同期符号を送信したときに複数の子局から送信データ発生にともなう回線獲得符号が親局へ送信されることがある。とくに１つの子局と親局との通信中に複数の他の子局で送信データが発生して待機しており、通信中の子局がデータ送信を終了して親局から同期符号が送信されたときには、待機中の複数子局から回線獲得符号が親局へ一斉に送信される。このような場合には回線獲得要求の衝突がおこり、どの子局も回線獲得を行うことができない。
【０００６】
上記の衝突を解決する方法としては、各子局に異なる送信ディレイ値を与えておき、送信データが発生したときには同期符号受信後に自局の送信ディレイ値で与えられた回数だけ同期符号を受信した時点で回線獲得符号を送信するものがある。しかしこの方法では、子局ごとに優先度が固定されていしまい、さらに子局の数が大きいと、送信開始まで待っている間は回線が空いてしまうというケースが多く発生し、送信効率が大幅に低下する欠点がある。
【０００７】
特許文献１に開示された「送信キャリア衝突回避方法」には、多数の子局が存在する場合でも、子局ごとの優先度が固定されず、かつ送信効率を低下させずに衝突を防止するようにしたプロトコルが示されている。この技術はＩＳＡＭ方式（Ｉｄｌｅ  Ｓｉｇｎａｌ  Ｍｕｌｔｉｐｌｅ  Ａｃｃｅｓｓ）において、親局からのアイドル信号（上述の同期符号に相当）にアイドル信号番号をつけ、また子局の回線獲得が何回失敗したかを送信カウンタでカウントして、そのカウント値が大きい程当該子局に小さいディレイ値を与え、かつ前記アイドル信号番号をアイドル信号ごとに変えて送信データのある子局の優先度が片寄らないように各子局のディレイ値を与える方法を示している。この方法によれば、親局との回線の空きを少なくし、かつどの子局にもほぼ同等の優先度でもって親局との通信を効率よく行えるようにすることができる。
【特許文献１】特開平１０−２５７０６１号公報
【発明の開示】
【発明が解決しようとする課題】
【０００８】
無線回線においては、親局からの同期符号や許可符号などがある子局で受信できても、当該子局からのデータ符号が親局で受信できないような回線状態が生じることがある。こうした回線状態が生じたときには、当該子局がデータ送信に成功したと判断しているが親局はそのデータを受信していないという異常事態が発生しうる。
【０００９】
図３は、この異常事態の説明図で、子局１、２で送信データが発生したのち同期符号Ｓ１が親局から送信されたとする。この「下り」信号は子局１、２ともに受信したとすると、子局１、２はともに回線獲得符号Ｇ１、Ｇ２をそれぞれ送信する。このとき子局２からの「上り」の回線獲得符号Ｇ２が親局には届かず受信されず、子局１からの回線獲得符号Ｇ１のみが親局で受信されると、親局では衝突がないので許可符号Ｐ１を送信する。この「下り」信号を子局１、２ともに受信すると、子局２は子局１とともに自局が許可されたものと判定し、子局２はデータ符号Ｄ１２を、子局１はデータ符号Ｄ１１を親局へ送信する。このときも親局はデータ符号Ｄ１１のみを受信し、正常受信であれば続くデータ送信を許可する許可符号Ｐ２を送信する。このようにして、子局２からの「上り」信号のみの不通状態が続くと、子局１と親局との間で データ送信、再送信がくり返されるが、子局２は自局からのデータ符号が受信されていないのに受信されていると誤って判断してしまうことになる。
【００１０】
本発明の目的は、効率よく衝突を回避でき、かつ回線状態によって実際には親局に受信されていないデータ送信が成功したと子局が誤判定しないようにした回線獲得方法を提供することにある。
【課題を解決するための手段】
【００１１】
本発明は、親局への送信データが発生した子局が親局から周期的に送られてくる同期符号を受信したときに回線獲得符号を親局へ送信し、親局がこの回線獲得符号を受信すると許可符号を送信し、回線獲得符号を送信した子局がこの許可符号を受信すると自局に備えられたランダム符号発生手段の発生するランダム符号を親局へ送信し、親局はこのランダム符号を受信すると受信したランダム符号をそのまま送信し、このランダム符号を受信した子局は自局から送信したランダム符号と前記受信したランダム符号とが一致したときのみ自局から親局へ データ符号の送信を開始するようにした回線獲得方法を開示する。
【発明の効果】
【００１２】
「上り」回線が不通となっている子局からのランダム符号は親局には受信されず、親局から返送されるランダム符号は「上り」回線も正常な子局からのランダム符号である。したがって「下り」とともに「上り」回線も正常な子局のみがデータ送信を開始でき、「上り」異常の子局は誤認したままでデータ送信を行うことは防止される。
【発明を実施するための最良の形態】
【００１３】
以下、本発明の実施形態を説明する。図１は本発明の回線獲得方法の手順を示す図で、図３の場合と同様に子局１は親局と「上り」「下り」回線とも通信可能であるが、子局２の方は親局へ向う「上り」回線が不通状態で電波が届かず、「下り」回線のみ通信可能な状態であるとする。ここで同期符号Ｓ１の送信より手前で子局１、２ともに送信データが発生すると、子局１、２は同期符号Ｓ１を受信して回線獲得符号Ｇ１、Ｇ２を親局へ送信する。このとき親局では、子局２からの回線獲得符号Ｇ２は受信されず従って回線獲得符号Ｇ１のみが受信され、衝突は起こらない。その結果親局は許可符号Ｐ１を送信し、子局１、２はともにこの許可符号Ｐ１を受信する。ここまでの動作は図３の場合と同じである。
【００１４】
ここで本発明においては子局１、２は、従来のように許可符号受信後に直ちにデータ符号の送信を行わず、自局を識別するための識別符号Ｑ１，Ｑ２をそれぞれ親局へ送信する。しかし識別符号Ｑ２は回線獲得符号Ｇ２と同様に親局には届かないから、親局は識別符号Ｑ１のみを受信する。そして親局は識別符号を受信するとこれをそのまま、許可符号Ｐ１送出後のＴ時間後に送信する。今の場合は識別符号Ｑ１をそのまま送信する。子局１、２はともにこの送信された識別符号Ｑ１を受信し、それを自局の識別符号と比較するが、今の場合子局２は自局の識別符号Ｑ２とは違うので、自局は通信が不可能と判断し、以降の通信を行わないで次の同期符号の受信を待つ。一方、子局１は受信した識別符号と自局の識別符号とが一致するから、データの送信を開始する。これ以降の動作は従来方法と同じである。
【００１５】
以上に示した手順によれば、ある時点で同時に回線獲得符号を送信した子局の１つのみが「上り」「下り」とも通信可能で他の子局の「上り」のみが不通状態の場合、これら子局の識別符号が互いに異っていれば、実際には親局に受信されていないデータを送信ずみと誤認することをなくすことができる。
【００１６】
子局が送信する識別符号としては、全ての子局が互いに異なる識別符号を定めるのが望ましい。ここで許可符号発行後のＴ期間に送信できるデータの符号長が十分あって、全ての子局に相違する識別符号を与えてもそれを表現できるときは、各子局に固定の識別符号を与えてもよい。しかし子局の個数に比べて上記符号長が不十分なときには一部の子局で識別符号が同じになるのはさけられない。例えば誤り訂正符号を除いた正味のデータ長が８ビットであると、８ビットの識別符号では最大２５６個の符号しか使用できない。
【００１７】
このようにＴ期間に送信可能なデータの符号長が不十分なときには各子局にそのデータ符号長と同じビット数のランダム符号を発生するランダム符号発生手段を設け、許可符号受信時にこの手段から発生されるランダム符号を識別符号として用いるようにする。ランダム符号発生手段としては、例えばＣ言語のランダム符号発生関数を用い、その引数として、子局ごとに必ず異なっているシリアル番号とそのときの時刻の秒数を加算した数値の末尾何桁かを用いるなどの方法を用いる。このようにすれば上記の引数が一致しない子局の間ではランダム符号は異なったものになり、かつ発生時刻によって同一子局でも異なったランダム符号が生成される。こうして、同一符号のランダム符号がたまたま図１のように競合したときに２つの子局から送信される確率は小さくでき、「データ送信成功」と誤認する確率を大幅に減らすことができる。
【００１８】
なお、全ての子局に異なる固定の識別符号を割り当てることが可能な場合でも、子局の個数が変動したり、システムで使用する子局の新設や改廃等を考慮すると、固定識別符号の割り当てにはそれなりの識別符号の統一的管理が必要となる。このような繁雑さを避けるためには、前述のようなランダム符号の利用が便利である。
【図面の簡単な説明】
【００１９】
【図１】本発明の回線獲得方法の説明図である。
【図２】従来の回線獲得方法の説明図である。
【図３】従来の回線獲得方法に於る誤送信の説明図である。
【符号の説明】
【００２０】
１、２    子局
【図１】
2006325048.tif 000003
【図２】
2006325048.tif 000004
【図３】
2006325048.tif 000005